(57)【要約】【課題】使い勝手の良い製氷装置を備えた冷凍冷蔵庫の提供。【解決手段】製氷皿、貯氷ボックス、前記製氷皿及び貯氷ボックスを一体に保持する製氷ケースとで製氷装置１６を構成するとともに、製氷ケースを前記冷凍室３あるいは扉ポケット１５と独立して構成して製氷装置自体を着脱自在なユニット品とし、かつ、前記扉ポケット１５は前記製氷装置１６の製氷ケースを収容設置可能な幅として、製氷装置１６を本体側の冷凍室３あるいは扉側の扉ポケット１５のいずれにも設置可能としたものである。これにより、製氷装置は使用者の好みにより本体側の冷凍室に設置したり、あるいは扉側の扉ポケットに設置したりすることができ、使い勝手が向上する。【選択図】図２
2014006013.tif 000002
【特許請求の範囲】
【請求項１】
本体に設けた冷凍室と、この冷凍室を開閉する扉ポケット付きの扉と、前記冷凍室内で氷を作る製氷装置とを備え、前記製氷装置は、製氷皿と、貯氷ボックスと、前記製氷皿及び貯氷ボックスを一体的に保持する製氷ケースとで構成するとともに、製氷ケースを前記冷凍室あるいは扉ポケットと独立して構成して製氷装置自体を着脱自在なユニット品とし、かつ、前記扉に設けてある扉ポケットは前記製氷装置の製氷ケースを収容設置可能な幅として、製氷装置を本体側の冷凍室あるいは扉側の扉ポケットのいずれにも設置可能とした冷凍冷蔵庫。
【請求項２】
製氷装置の製氷ケースは製氷皿の上方に位置する板状の蓋部を備え、この蓋部で製氷皿の上部を覆う構成とした請求項１記載の冷凍冷蔵庫。
【請求項３】
製氷装置は製氷皿を製氷ケース内でひねることによって氷を製氷皿下方の貯氷ボックス内に分離落下させる構成とするとともに、前記製氷皿をひねったときに製氷ケースの当該製氷ケースを移動させようとする力が加わる部分に係止部を設け、この係止部を冷凍室の冷凍室壁に設けた突起に係止可能とした請求項１又は２記載の冷凍冷蔵庫。
【請求項４】
製氷装置はその壁長手方向に沿って冷気を冷凍ケース内に導入する冷気案内孔を形成し、この冷気案内孔の一部を冷凍室壁の突起に係止させる係止部とした請求項３記載の冷凍冷蔵庫。
【請求項５】
製氷装置の冷気案内孔は製氷皿の上面より上方位置に形成した請求項４記載の冷凍冷蔵庫。
【請求項６】
製氷装置の製氷ケースはその長手方向の両端部が開口するトンネル形状とした請求項１〜５のいずれか１項記載の冷凍冷蔵庫。
【請求項７】
冷凍室に設けてある冷気の吹出口は、少なくともその一部が扉ポケットに収納設置した製氷装置の冷気案内孔と対向するような位置に設けてあることを特徴とする請求項４〜６のいずれか１項記載の冷凍冷蔵庫。
【請求項８】
扉ポケットは、扉ポケットに収納設置した製氷装置の製氷ケース開口付近と対応する一部分を開くことが可能な構成とした請求項１〜７のいずれか１項記載の冷凍冷蔵庫。
【請求項９】
扉の扉ポケットは、扉ポケットに収納した製氷装置の製氷ケース長手方向寸法と略同等の部分を手前側に開くことが可能な構成とした請求項１〜８のいずれか１項記載の冷凍冷蔵庫。
【発明の詳細な説明】
【技術分野】
【０００１】
本発明は冷凍庫に関し、特に製氷構成に関するものである。
【背景技術】
【０００２】
一般に冷凍庫、例えば家庭用の冷凍冷蔵庫は、製氷装置が設けてあり、氷を作って貯蔵できるようになっている（例えば、特許文献１、２参照）。
【０００３】
図１２は特許文献１の冷凍冷蔵庫を示し、この冷凍冷蔵庫は本体１０１内に冷蔵室１０２とともに冷凍室１０３を設け、この冷凍室１０３に製氷装置１０４が組み込んであり、扉１０５を開けて冷凍室１０３内から氷を取り出すようになっている。
【０００４】
また、図１３は特許文献２の冷凍冷蔵庫を示し、この冷凍冷蔵庫は本体１０１の冷凍室１０３を開閉する扉１０５の扉ポケット１０６に製氷皿１０７、貯氷ボックス１０８等からなる製氷装置１０９が組み込んであり、扉１０５を開くことによって製氷装置１０９が冷凍室外に引き出され、氷を容易に取り出すことができるようになっている。
【先行技術文献】
【特許文献】
【０００５】
【特許文献１】特開２００６−３８４２２号公報
【特許文献２】特開平０６−１８１４０号公報
【発明の概要】
【発明が解決しようとする課題】
【０００６】
このように従来の冷凍冷蔵庫は、製氷装置１０４，１０９が本体１０１の冷凍室１０３あるいは扉ポケット１０６に組み込んであるため、製氷装置１０４，１０９を冷凍室１０３内から扉ポケット１０６へ、あるいはその逆に移動させることができず、使い勝手が悪いという課題があった。
【０００７】
本発明はこのような点に鑑みてなしたもので、製氷装置を冷凍室あるいは扉ポケットのいずれにも設置可能として使い勝手の良い冷凍庫を提供するものである。
【課題を解決するための手段】
【０００８】
本発明は上記目的を達成するため、製氷装置は、製氷皿と、貯氷ボックスと、前記製氷皿及び貯氷ボックスを一体的に保持する製氷ケースとで構成するとともに、製氷ケースを前記冷凍室あるいは扉ポケットと独立して構成して製氷装置自体を着脱自在なユニット品とし、かつ、扉に設けてある扉ポケットは前記製氷装置の製氷ケースを収容設置可能な幅として、製氷装置を本体側の冷凍室あるいは扉側の扉ポケットのいずれにも設置可能としたものである。
【０００９】
これにより、製氷装置は使用者の好みにより本体側の冷凍室に設置したり、あるいは扉側の扉ポケットに設置したりすることができ、使い勝手が向上するとともに、製氷装置を扉側の扉ポケットに設けた場合は、本体内の冷凍室に設けてある冷気吹出口近傍の製氷装置を設けていた部分を食品の収納スペースとして利用でき、製氷装置を扉側の扉ポケットに移した分、多くの食品を冷気の吹出し口近傍に置いて急冷させる使い方ができるとともに、製氷装置を本体側の冷凍室に設置した場合は扉を開くことによって製氷装置を冷凍室から引き出すことができ、製氷装置の氷の取出しを容易にする使い方ができ、冷凍庫の機能を向上させることができる。
【発明の効果】
【００１０】
本発明は、使用者の好みに応じて製氷装置を本体側あるいは扉側のいずれにも設置できるので、使い勝手が向上するとともに、必要に応じて食品の急冷を行わせたり、氷取出しを容易にする等の使い分けができ、冷凍庫としての機能を向上させることもできる。
【図面の簡単な説明】
【００１１】
【図１】本発明の実施の形態１における冷凍庫を適用した冷凍冷蔵庫の正面図
【図２】同冷凍冷蔵庫の断面図
【図３】同冷凍冷蔵庫の冷凍室扉を開いた状態の冷凍室を正面から見た拡大斜視図
【図４】同冷凍冷蔵庫の冷凍室扉を開いた状態の冷凍室扉を示し、製氷装置を扉ポケットに収納設置したときの拡大斜視図
【図５】同冷凍冷蔵庫の冷凍室と製氷装置を示す斜視図
【図６】同冷凍冷蔵庫に用いる製氷装置のユニットを示す斜視図
【図７】同冷凍冷蔵庫に用いる製氷装置を冷凍室内荷設置した場合の断面図
【図８】同冷凍冷蔵庫に用いる製氷装置を冷凍室扉に収納設置した場合の断面図
【図９】同冷凍冷蔵庫に用いる製氷装置の分解斜視図
【図１０】同実施の形態２における冷凍冷蔵庫の冷凍室扉を開いた状態の冷凍扉を示し、製氷装置を扉ポケットに収納設置したときの拡大斜視図
【図１１】同実施の形態３における冷凍冷蔵庫の冷凍室扉を開いた状態の冷凍室扉を示し、製氷装置を扉ポケットに設置したときの拡大斜視図
【図１２】従来の冷凍冷蔵庫の製氷構成部分を示す断面図
【図１３】同従来の他の冷凍冷蔵庫における製氷構成部分を示す断面図
【発明を実施するための形態】
【００１２】
第１の発明は、本体に設けた冷凍室と、この冷凍室を開閉する扉ポケット付きの扉と、前記冷凍室内で氷を作る製氷装置とを備え、前記製氷装置は、製氷皿と、貯氷ボックスと、前記製氷皿及び貯氷ボックスを一体的に保持する製氷ケースとで構成するとともに、製氷ケースを前記冷凍室あるいは扉ポケットと独立して構成して製氷装置自体を着脱自在なユニット品とし、かつ、前記扉に設けてある扉ポケットは前記製氷装置の製氷ケースを収容設置可能な幅として、製氷装置を本体側の冷凍室あるいは扉側の扉ポケットのいずれにも設置可能な構成としてある。
【００１３】
これにより、製氷装置は使用者の好みにより本体側の冷凍室に設置したり、あるいは扉側の扉ポケットに設置したりすることができ、使い勝手が向上するとともに、製氷装置を扉側の扉ポケットに設けた場合は、本体内の冷凍室に設けてある冷気吹出口近傍の製氷装置を設けていた部分を食品の収納スペースとして利用でき、製氷装置を扉側の扉ポケットに移した分、多くの食品を冷気の吹出し口近傍に置いて急冷させる使い方ができるとともに、製氷装置を本体側の冷凍室に設置した場合は扉を開くことによって製氷装置を冷凍室から引き出すことができ、製氷装置の氷の取出しを容易にする使い方ができ、冷凍庫の機能を向上させることができる。
【００１４】
第２の発明は、第１の発明において、製氷装置の製氷ケースは製氷皿の上方に位置する板状の蓋部を備え、この蓋部で製氷皿の上部を覆う構成としたものである。
【００１５】
これにより、製氷装置の製氷皿内に他の食品の出し入れ時に異物等が入り込んで当該異物が混入した氷が製氷されてしまうようなことがなくなり、安心して使用することができる。
【００１６】
第３の発明は、第１または第２の発明において、製氷装置は製氷皿を製氷ケース内でひ
ねることによって氷を製氷皿下方の貯氷ボックス内に分離落下させる構成とするとともに、前記製氷皿をひねったときに製氷ケースの当該製氷ケースを移動させようとする力が加わる部分に係止部を設け、この係止部を冷凍室の冷凍室壁に設けた突起に係止可能としたものである。
【００１７】
これにより、製氷装置を本体側の冷凍室に設置した場合、氷を製氷皿から分離させるときに製氷装置が冷凍室内で動いてしまって製氷皿のひねりによる氷の分離が行いにくくなることがなく、使い勝手の良いものとなる。
【００１８】
第４の発明は、第３の発明において、製氷装置はその壁長手方向に沿って冷気を冷凍ケース内に導入する冷気案内孔を形成し、この冷気案内孔の一部を冷凍室壁の突起に係止させる係止部としたものである。
【００１９】
これにより、製氷ケース内の製氷皿に冷気を導いて氷生成時間を短くすることができるとともに、この冷気導入用の冷気案内孔を利用して製氷装置を冷凍室に固定することができ、構成の合理化によるコストダウンも可能となる。
【００２０】
第５の発明は、第４の発明において、製氷装置の冷気案内孔は製氷皿の上面より上方位置に形成した構成としてある。
【００２１】
これにより、冷気案内孔からの冷気は製氷皿の上面に沿って流れ込むようになり、氷生成時間をより短縮することができる。
【００２２】
第６の発明は、第１〜第５の発明において、製氷装置の製氷ケースはその長手方向の両端部が開口するトンネル形状としたものである。
【００２３】
これにより、製氷ケース内に冷気をより効率よく導くことができて氷生成時間をより短くできるとともに、製氷ケース内の貯氷ボックス内に貯めた氷の取出しが製氷ケースの両端部いずれからでも行うことができ、使い勝手が向上する。
【００２４】
第７の発明は、第４〜第６の発明において、冷凍室に設けてある冷気の吹出口は、少なくともその一部が扉ポケットに収納設置した製氷装置の冷気案内孔と対向するような位置に設けた構成としてある。
【００２５】
これにより、製氷装置の製氷ケース内にはさらに効率よく冷気が流れ込むことになって氷生成時間の短縮が可能となる。
【００２６】
第８の発明は、第１〜第７の発明において、扉ポケットは、扉ポケットに収納設置した製氷装置の製氷ケース開口付近と対応する一部分を開くことが可能な構成としてある。
【００２７】
これにより、製氷装置を扉ポケットに設置した場合、扉ポケットの一部を開くことによって製氷ケースの開口から貯氷ボックス内に手などを挿入しやすくなり、氷の取出しが容易に行えるようになる。
【００２８】
第９の発明は、第１〜第８の発明において、扉ポケットは、扉ポケットに収納した製氷装置の製氷ケース長手方向寸法と略同等の部分を開くことが可能な構成としてある。
【００２９】
これにより、製氷装置の製氷ケースと略同等の幅である扉ポケットの上部にさらに扉ポケットが設けてあるような場合であっても、扉ポケットの製氷ケース長手方向寸法と略同等の部分を開くことによって扉ポケットへの収納設置が容易に行えるようになり、扉ポケ
ットを上下複数設けてその収容容積を確保しつつ製氷装置の着脱性を向上させることができる。
【００３０】
以下、本発明の実施の形態について、図面を参照しながら説明する。なお、この実施の形態では冷蔵室を有する冷凍冷蔵庫を例にして説明するが、冷凍室のみの冷凍庫であっても同様であり、これによって本発明が限定されるものではない。
【００３１】
（実施の形態１）
図１は本発明の実施の形態１における冷凍冷蔵庫の正面図、図２は同冷凍冷蔵庫の断面図、図３は同冷凍冷蔵庫の冷凍室扉を開いた状態の冷凍室を正面から見た拡大斜視図、図４は同冷凍冷蔵庫の冷凍室扉を開いた状態の冷凍室扉を示し、製氷装置を扉ポケットに設置したときの拡大斜視図、図５は同冷凍冷蔵庫の冷凍室と製氷装置を示す斜視図、図６は同冷凍冷蔵庫に用いる製氷装置のユニットを示す斜視図、図７、図８は同冷凍冷蔵庫に用いる製氷装置のユニットを示す断面図、図９は同冷凍冷蔵庫に用いる製氷装置のユニットを示す分解斜視図である。
【００３２】
図１〜図９において、この冷凍冷蔵庫は本体１内に冷蔵室２と冷凍室３を有している。前記本体１は金属製の外箱と樹脂製の内箱との間に例えば硬質発泡ウレタン等の断熱材４を充填して構成してあり、外方の大気から本体１内に流入しようとする熱を遮断する機能を有している。
【００３３】
また、上記本体１には前記冷蔵室２を開閉する冷蔵室扉５と、冷凍室３を開閉する冷凍室扉６を備え、これら各扉５，６は例えば右側端部を本体１に回転自在に取り付けてあり、本体同様硬質発泡ウレタン等の断熱材４を発泡充填して構成してある。
【００３４】
前記本体１はその冷凍室３の背部に冷却室７が設けてあり、この冷却室７で生成した冷気を前記冷蔵室２や冷凍室３に循環させて貯蔵食品を冷却、冷凍するようになっている。
【００３５】
上記冷却室７は本体１を構成する内箱の冷凍室３背部を凹状に窪ませ、冷凍室３との間を区画壁で区画して形成してあり、内部に冷凍サイクルの冷却器８、冷却器８に風を供給して冷気とし、当該冷気を冷蔵室２や冷凍室３に循環させるファン（図示せず）が組み込んである。
【００３６】
また前記冷凍室３にはその冷凍室壁に複数の棚板レール９，１０を設けてその一つに棚板１１が設けてあるとともに、冷凍室扉６の内面には上下二段の棚部１２，１３を設けて、扉ポケット１４，１５が棚部１２，１３先端を支点として若干回動するように取り付けてある。また、上記扉ポケット１４，１５のうちの少なくともひとつ、この実施の形態では下側の扉ポケット１５はその前後方向の幅を後述する製氷装置の幅より大きく形成し、この扉ポケット１５に製氷装置を収納設置可能にしてある。
【００３７】
１６は前記した製氷装置で、図２、図３では冷凍室３の底板上部に、図４では冷凍室扉６の下側の扉ポケット１５に収納設置（図２では点線で示す）した場合を示している。
【００３８】
この製氷装置１６は、図６〜図９に示すように、製氷皿１７と、この製氷皿１７を回転自在に支持する皿支持体１８と、その皿支持体１８の下方に位置する貯氷ボックス１９と、これら製氷皿１７、皿支持体１８、貯氷ボックス１９を一体的に内蔵する製氷ケース２０とから構成されている。この製氷装置１６はその製氷ケース２０を前記冷凍室３あるいは扉ポケット１５の一部として形成するのではなくこれらとは独立して形成されていて、製氷装置１６自体を着脱自在な独立ユニット品としている。
【００３９】
上記製氷装置１６の製氷皿１７は断面略逆台柱形の複数の凹部１７ａを有するとともに、その一端部側にハンドル部２１を備え、このハンドル部２１をもって回転させるとその一部が皿支持体１８の一部に当たってひねられるような形となり、このひねりによって前記凹部１７ａに形成された氷が凹部１７ａから分離されて落下するようになっている。そして皿支持体１８には前記製氷皿１７を回転自在に支持すべく製氷皿両端の軸を支持する軸支持部２２が設けてある。
【００４０】
また、製氷ケース２０は、図７、図８に示すようにその両側内壁面に保持部２３，２４が形成してあり、この保持部２３，２４によって前記製氷皿１７を支持した皿支持体１８及び貯氷ボックス１９を保持する構成としてある。この製氷ケース２０は断面略コ字状のケースを一対突き合わせてその両端部が開口するトンネル状に形成してあり、その上面は製氷皿１７の上面を覆う蓋部２０ａとしてあり、かつ側壁、この実施の形態では一方の側壁には長手方向に沿ってスリット状の冷気案内孔２５が形成してある。
【００４１】
この冷気案内孔２５は、図８から明らかなように製氷皿１７の上面より上方位置に形成してあり、冷気案内孔２５から製氷ケース２０内に流れ込む冷気（矢印で示す）が直接製氷皿１７の凹部１７ａ内の水面に触れるようにしてある。
【００４２】
また、この冷気案内孔２５は、製氷装置１６を本体側の冷凍室３に設置したときの製氷装置１６を冷凍室３に固定するための係止部ともなるものである。すなわち、図５に示すように製氷装置１６を設置する冷凍室３の冷凍室壁には突起２６が取り付けてあり、冷気案内孔２５はこの突起２６に嵌め込んでその突起フランジ部２６ａが冷気案内孔２５の孔縁に係止して製氷装置１６が冷凍室３に固定されるようになっている。なお、この冷気案内孔２５はその長手方向の両端部分を突起フランジ部２６ａより大きな孔形状としてこの部分から突起フランジ部２６ａにはめ込みそのままスライドさせて突起フランジ部２６ａに係止させる構成としてある（図５では理解しやすいように突起２６及び突起フランジ部２６ａを大きめに記載してある）。
【００４３】
この製氷装置１６を設置する本体側の冷凍室３にはその奥壁左右に冷気の吹出口２７と戻り口２８が形成してあり、冷凍室背部の冷却室７とつながっていて、冷気が流出入するようになっている。上記吹出口２７及び戻り口２８は冷凍室奥壁の左右に分けてそれぞれが上下に対応する形で設けてあり、前記製氷装置１６を扉ポケット１５に収納設置した場合、少なくとも左右いずれか一方の吹出口２７の一部が製氷装置１６の冷気案内孔２５と対向するように設定してある。
【００４４】
上記構成において、次に作用効果について説明する。
【００４５】
この冷凍冷蔵庫の製氷装置１６は、すでに述べた通りその製氷ケース２０を前記冷凍室３あるいは扉ポケット１５の一部として形成することなくこれらとは独立して形成していて、製氷装置１６自体が独立した着脱自在なユニット品となっている。そして、冷凍室扉の扉ポケットは前記製氷ケース２０の幅よりも広い幅としてある。したがって、この製氷装置１６は、使用者の好みによって、図２の実線及び図３に示すように本体側の冷凍室３に設置したり、あるいは、図２の点線及び図４に示すように冷凍室扉側の扉ポケット１５に収納設置することができ、使い勝手が向上する。
【００４６】
上記製氷装置１６の冷凍室３への設置は、製氷ケース２０の冷気案内孔２５の大きな孔部分を冷凍室壁から突出する突起フランジ部２６ａに嵌合してそのまま後方へスライド移動させれば、前記突起フランジ部２６ａが冷気案内孔２５の幅狭孔部分に位置して製氷装置１６を冷凍室壁に係止し、製氷装置１６を冷凍室壁に容易に設置固定することができる。
【００４７】
また、この製氷装置１６を冷凍室扉６の扉ポケット１５に収容設置する場合は、前記と逆の動作で製氷装置１６を冷凍室壁から取り外し、そのまま扉ポケット１５に挿入設置すればよい。
【００４８】
そして、製氷装置１６を扉側の扉ポケット１５に設けた場合は、本体内の冷凍室３に設けてある冷気の吹出口２７近傍の製氷装置１６を設けていた部分を、食品の収納スペースとして利用でき、製氷装置１６を扉ポケット１５に移した分、多くの食品を冷気の吹出口２７近傍に置いて急冷させることができるとともに、製氷装置１６を本体側の冷凍室３に設置した場合は冷凍室扉６を開くことによって製氷装置１６を冷凍室３から引き出すことができ、製氷装置１６の氷の取出しが容易になる。
【００４９】
また、上記製氷装置１６の製氷ケース２０は製氷皿１７の上方に位置する板状の蓋部２０ａを備え、この蓋部２０ａで製氷皿１７の上部を覆う構成としてあるから、製氷装置１６の製氷皿１７内に他の食品の出し入れ等により異物等が入り込んで当該異物が混入した氷が製氷されてしまうようなことが無くなり、安心して使用することができる。
【００５０】
一方、上記製氷装置１６は、製氷皿１７を製氷ケース２０内でひねることによって氷を製氷皿下方の貯氷ボックス１９内に分離落下収納させるが、この製氷装置１６は冷凍室壁の突起フランジ部２６ａに係止させた冷気案内孔２５が上部に位置していて、前記製氷皿１７をひねったときに製氷ケース２０にこれを移動させようとする力がかかる部分で冷凍室壁の突起フランジ部２６ａに係止していることになる。これにより、本体側の冷凍室３に設置した製氷装置１６の製氷皿１７から氷を分離させるときに、製氷装置１６が冷凍室内で動いてしまって製氷皿１７のひねりによる氷の分離が行いにくくなることがなく、使い勝手の良いものとなる。この氷の製氷皿１７からの分離は当該製氷装置１６を冷凍室扉側の扉ポケット１５に収納設置したときには、製氷皿１７のひねりによって生じる力が扉ポケット１５の壁面によって受け止められ、製氷装置１６が動くことが無いので、この場合も前記と同様容易に氷の分離ができる。
【００５１】
また、上記製氷装置１６はその製氷ケース２０の側壁長手方向に沿って形成した冷気案内孔２５から製氷ケース２０内に冷気が流れ込んで製氷皿１７内の水を直接冷却するようになるので、短い時間で氷を生成することができる。しかもこの冷気案内孔２５を利用して製氷装置１６を冷凍室に固定しているので、構成の合理化によるコストダウンが可能となる。
【００５２】
特にこの実施の形態では、上記製氷装置１６の冷気案内孔２５は製氷皿１７の上面より上方位置に形成してあるから、冷気案内孔２５からの冷気は製氷皿１７の上面に沿って流れ込むようになり、凹部１７ａ内の水表面を直接冷却するようになるので、氷生成時間をより短縮することができる。加えて、前記製氷装置１６の製氷ケース２０はその長手方向の両端部が開口するトンネル形状としてあるから、冷気はこの開口を介して製氷ケース２０の両端部からも製氷ケース２０内に流れ込むようになり、冷気をより効率よく導いて氷生成時間を一段と短くすることができるとともに、製氷ケース２０内の貯氷ボックス１９内に貯めた氷の取出しを製氷ケース２０の両端部いずれからでも行うことができ、使い勝手が向上する。
【００５３】
なお、この実施の形態では製氷ケース２０の一方の開口には図９に示すようにストッパー部２０ｂを設けて、製氷装置１６の着脱時に一方の開口から不用意に貯氷ボックス１９や皿支持体１８が離脱落下しないように配慮してあるが、前記した如くストッパー部を廃止して氷の取出しを製氷ケース２０の両端部いずれからでも行うことができようにすることを優先することもできる。
【００５４】
また、前記製氷装置１６を設ける冷凍室３の冷気の吹出口２７は、冷凍室扉６の扉ポケット１５に収容設置した製氷装置１６の冷気案内孔２５が当該冷気の吹出口２７の少なくとも一部と対向するような位置に設けてあるから、製氷装置１６の製氷ケース２０内にはさらに効率よく冷気が流れ込むことになって氷生成時間の短縮が可能となる。
【００５５】
なお、製氷装置１６を冷凍室扉６の扉ポケット１５に収納設置した場合、冷凍室扉６の開閉時に製氷皿１７内の水が飛び散ることが懸念されるが、これは製氷皿１７の凹部１７ａ外周を囲む周壁の高さ寸法を従来よりも高く設定することによって対応している。
【００５６】
（実施の形態２）
図１０は実施の形態２を示し、この実施の形態２は製氷装置１６を冷凍室扉６の扉ポケット１５に設けた場合、当該製氷装置１６から氷を容易に取り出しできるようにしたものである。
【００５７】
すなわち、この実施の形態では冷凍室扉６の扉ポケット１５は、当該扉ポケット１５に収納設置した製氷装置１６の製氷ケース開口が対応する一部分（図１０の点線で示すＡ部分）を、例えば横方向にスライドさせて開くことができる構成としてある。
【００５８】
これにより、製氷装置１６を扉ポケット１５に設置した場合、扉ポケット１５の一部Ａを横方向にスライドさせて開いて製氷ケース２０の開口から貯氷ボックス１９内に手などを入れやすくなり、氷の取出しが容易に行えるようになる。
【００５９】
（実施の形態３）
図１１は実施の形態３を示し、この実施の形態３は製氷装置１６を冷凍室扉６の扉ポケット１５に容易に設置あるいは取り外しできるようにしたものである。
【００６０】
すなわち、この実施の形態では冷凍室扉６の扉ポケット１５は、当該扉ポケット１５に収納設置した製氷装置１６の製氷ケース長手方向寸法と略同等の部分（図１１の点線で示すＢ部分）を、例えば下端を支点に手前側に開くことが可能な構成としてある。
【００６１】
これにより、冷凍室扉６の扉ポケット１５の幅が製氷装置１６の製氷ケース２０と略同等の幅であって、当該扉ポケット１５の上部にさらに扉ポケット１４が設けてあるような場合であっても、扉ポケット１５の製氷ケース長手方向寸法と略同等のＢ部分を手前側に開くことによって扉ポケット１５への収納設置が容易に行えるようになり、冷凍室の扉ポケットを上下に複数設けてその収容容積を確保しつつ製氷装置１６の着脱性を向上させることができる。
【００６２】
以上説明したように本発明は、製氷装置を本体側の冷凍室あるいは冷凍室扉側の扉ポケットのいずれにも設置可能として使い勝手を向上させたものであるが、上記各実施の形態は本発明を実施するうえでの一例として示したものであり、本発明の目的を達成する範囲内であれば種々変更可能であることは言うまでもない。例えば上記各実施の形態では冷蔵室も有する冷凍冷蔵庫で説明したが、冷凍室のみの冷凍庫であっても良く、また、製氷装置は製氷ケースの冷気案内孔がひとつの場合を例示したが、これは両側壁に上下複数設けたり、製氷ケース自体を線材で構成する等して、冷気が製氷皿に触れやすくする等しても良いものである。また、製氷ケースの冷気案内孔が製氷装置を冷凍室に固定するための係止部を兼ねているが、係止部は冷気案内孔とは別個に設けても良く、また、係止部は貫通孔ではなく凹状のものであっても良いものであり、本発明においてはこれら種々の変形が考えられるものである。
【産業上の利用可能性】
【００６３】
以上のように本発明は、使用者の好みに応じて製氷装置を本体側あるいは扉側のいずれにも設置できるので、使い勝手が向上するとともに、必要に応じて食品の急冷を優先させたり、氷取出しを容易にする等の使い分けもできて、冷凍庫としての機能を向上させることもでき、家庭用はもちろん業務用の冷凍庫にも幅広く適用することができる。
【符号の説明】
【００６４】
１  本体
２  冷蔵室
３  冷凍室
４  断熱材
５  冷蔵室扉
６  冷凍室扉
７  冷却室
８  冷却器
９，１０  棚板レール
１１  棚板
１２，１３  棚部
１４，１５  扉ポケット
１６  製氷装置
１７  製氷皿
１７ａ  凹部
１８  皿支持体
１９  貯氷ボックス
２０  製氷ケース
２０ａ  蓋部
２１  ハンドル部
２２  軸支持部
２３，２４  保持部
２５  冷気案内孔（係止部）
２６  突起
２７  吹出口
２８  戻り口
【図１】
2014006013.tif 000003
【図２】
2014006013.tif 000004
【図３】
2014006013.tif 000005
【図４】
2014006013.tif 000006
【図５】
2014006013.tif 000007
【図６】
2014006013.tif 000008
【図７】
2014006013.tif 000009
【図８】
2014006013.tif 000010
【図９】
2014006013.tif 000011
【図１０】
2014006013.tif 000012
【図１１】
2014006013.tif 000013
【図１２】
2014006013.tif 000014
【図１３】
2014006013.tif 000015